(57)【要約】  上部ハンドル部分から取り外し可能な下部部分を有する手動のピペット。ピストン戻しばねは上部ハンドル部分内に位置し、取り外し可能かつ交換可能なプランジャばねアセンブリの一部である。ユーザーはピストンのばねの戻り力を変えるために、ばねまたはプランジャばねアセンブリを交換することができる。【選択図】図１
2018502706.tif 000002
【特許請求の範囲】
【請求項１】
手動のピペットであって、
前記手動のピペットは、
上部ハンドル部分、および上部ハンドル部分から取り外し可能な下部部分と、
手動ピペット内部に取り外し可能に装着されるとともに、下部部分が上部ハンドル部分から分離されるときに取り外し可能なプランジャばねアセンブリであって、該プランジャばねアセンブリが、少なくとも上部ピストン軸と、ピストン戻しばねと、上部ピストン軸の下方端部が中を通って摺動可能なばね保持台と、上方端部の近くで上部ピストン軸に固定される上部のばね保持器であって、それによって戻しばねが上部のばね保持器とばね保持台との間で圧縮される、上部のばね保持器と、上部ピストン軸の下方端部に固定された継手とを含み、該プランジャばねアセンブリがばね保持台を手動のピペットに取り外し可能に固定することにより、手動のピペット内部に取り外し可能に装着される、プランジャばねアセンブリと、
上部ピストン軸の頂端と接するプランジャ軸を有する、上部ハンドル部分上のプランジャと、
下部部分に位置する分注用ピストンであって、下部部分が上部ハンドル部分に取り付けられ、手動のピペットが操作のために組み立てられるときに、上部ピストン軸の下方端部に固定された継手に動作可能に連結される、分注用ピストンとを含む、
手動のピペット。
【請求項２】
手動のピペットは、上部ピストン軸の下方端部に固定された継手に着脱される主ピストンドライブシャフト、ピストンドライブバー、および多分注用ピストンを下部部分に含む、多チャネルピペットである、請求項１に記載の手動のピペット。
【請求項３】
上部ピストン軸の下方端部に固定された継手は磁石であり、
手動のピペットは単一チャネルピペットであり、分注用ピストンは、下部部分が上部ハンドル部分に取り付けられ、手動のピペットが操作のために組み立てられるとき、上部ピストン軸の下方端部に固定された磁石に磁気的に連結される、請求項２に記載の手動のピペット。
【請求項４】
上部ピストン軸は潤滑表面層を含む、請求項１に記載の手動のピペット。
【請求項５】
プランジャばねアセンブリは、上部ハンドル部分の下方端部にばね保持台を固定することにより、上部ハウジング部分内に装着される、請求項１に記載の手動のピペット。
【請求項６】
上部ハンドル部分はその下方端部にねじ山が刻設されたスリーブを含み、
ばね保持台は嵌合ねじを含み、プランジャばねアセンブリは、上部ハンドル部分の下方端部に固定されたねじ山が刻設されたスリーブに、ばね保持台の嵌合ねじを固定することにより、上部ハンドル部分に装着可能である、請求項１に記載の手動のピペット。
【請求項７】
手動のピペットの下部部分は、その上方端部にねじ山が刻設されたカラーを有し、下部部分は、上部ハンドル部分上のねじ山が刻設されたスリーブに、下部部分上のねじ山が刻設されたカラーを固定することにより、操作のために手動のピペットを組み立てるために上部ハンドル部分に取り付けられる、請求項６に記載の手動のピペット。
【請求項８】
プランジャばねアセンブリ上のばね保持台は、下部部分が上部ハンドル部分から取り外されるときに、手動のピペットからばね保持台を着脱するために設置用具を係合させるための設置用接続部を含む、請求項１に記載の手動のピペット。
【請求項９】
使い捨てのピペットチップ用に下部部分上に取り付け具をさらに含む、請求項１に記載の手動のピペット。
【請求項１０】
ピストン戻しばねは第１のピストン戻しばねであり、手動のピペットは第２のピストン戻しばねをさらに含むキットの一部であり、第２のピストン戻しばねは、第１のピストン戻しばねのばね力よりも重いばね力を有する、請求項１に記載の手動のピペット。
【請求項１１】
手動ピペット内部に取り外し可能に装着されるとともに、下部部分が上部ハンドル部分から分離されるときに取り外し可能な第２のプランジャばねアセンブリをさらに含み、該第２のプランジャばねアセンブリは、第２の上部ピストン軸と、第２のピストン戻しばねと、第２の上部ピストン軸の下方端部が中を通って摺動可能な第２のばね保持台と、上方端部の近くで第２の上部ピストン軸に固定される第２の上部のばね保持器であって、それによって第２の戻しばねが第２の上部のばね保持器と第２のばね保持台との間で圧縮される、第２の上部のばね保持器と、第２の上部ピストン軸の下方端部に固定された第２の継手とを含み、第２のプランジャばねアセンブリは第２のばね保持台を手動のピペットに取り外し可能に固定することにより、手動のピペット内部に取り外し可能に装着される、請求項１０に記載の手動のピペット。
【請求項１２】
上部ハンドル部分はその下方端部にねじ山が刻設されたスリーブと、嵌合ねじを含む第１と第２のばね保持台とを含み、第１と第２のプランジャばねアセンブリの各々は、上部ハンドル部分の下方端部に固定されたねじ山が刻設されたスリーブに、それぞれのばね保持台の嵌合ねじを固定することにより、上部ハンドル部分に装着可能であり、手動のピペットの下部部分は、その上方端部にねじ山が刻設されたカラーを有し、下部部分は、上部ハンドル部分上のねじ山が刻設されたスリーブに、下部部分上のねじ山が刻設されたカラーを固定することにより、操作のために手動のピペットを組み立てるために上部ハンドル部分に取り付けられる、請求項１１に記載の手動のピペット。
【請求項１３】
手動ピペット内部に取り外し可能に装着されるとともに、下部部分が上部ハンドル部分から分離されるときに取り外し可能な第３のプランジャばねアセンブリをさらに含み、該第３のプランジャばねアセンブリは、第３の上部ピストン軸と、第３のピストン戻しばねと、第３の上部ピストン軸の下方端部が中を通って摺動可能な第３のばね保持台と、上方端部の近くで第３の上部ピストン軸に固定される第３の上部のばね保持器であって、それによって第３の戻しばねが第３の上部のばね保持器と第３のばね保持台との間で圧縮される、第３の上部のばね保持器と、第３の上部ピストン軸の下方端部に固定された第３の継手とを含み、第３のプランジャばねアセンブリは第３のばね保持台を手動のピペットに取り外し可能に固定することにより、手動のピペット内部に取り外し可能に装着され、
第３のピストン戻しばねは、第１のピストン戻しばねのばね力よりも重く、第２のピストン戻しばねのばね力よりも軽いばね力を有する、請求項１１に記載の手動のピペット。
【発明の詳細な説明】
【技術分野】
【０００１】
本発明は親指で作動させるプランジャを有する手動のピペットに関する。
【背景技術】
【０００２】
ほとんどの従来の手動のピペットは、ハンドルの頂部にプランジャボタンを有する。プランジャボタンは、ユーザーの親指を使ってプランジャ軸を手動で下げ、それによって分注用ピストンを下げることによって、押し下げられる。使い捨てのピペットチップは、ピペットの下部部分に取り付けられた部品に装着される。ピストンが引っ込められるときに分注用ピストンのまわりの密封により、使い捨てのピペットチップで吸引が生じる。使い捨てのピペットチップへ液体を吸引するために、チップの端部は液体中に沈められ、ユーザーはプランジャを放す。ピストン戻しばねはピストンを引っ込めさせ、それによってピペットチップ内の吸引が液体をチップ内に吸引する。その後、ユーザーは分注位置にピペットを移動させ、ピペットチップから液体を分注するために、ばねの力に対してプランジャを押し下げる。ほとんどの手動のピペットは、チップから分注する際に残液を噴出させるために、正常な完全に押圧された吸引範囲を超えてプランジャを下方へ移動させることができる噴出ばね機構を含む。
【０００３】
ピストンのばね戻り力は通常、可能な限り軽くなるようにしつつも、ピストン密封構造に関連する摩擦と、ピストンとプランジャの定位置への戻りに関連する潜在的な追加の摩擦とを確実に克服するほどには十分なように、メーカーによって選択される。しかしながら、場合によっては、こうした軽いばね力は望ましくない。例えば、粘性流体をピペットで取るとき、当業者は正確かつ効率的に液体を移動させるために、より大きなばね戻り力を必要とすることがある。別の例として、ユーザーのなかには、より高い戻しばね力を備えたピペットの方が、非粘性の流体とともに使用するときでもより人間工学であるか、またはより快適であると感じるユーザーもいる。
【発明の概要】
【０００４】
本発明は、ピストン戻しばねを、例えば、異なるばね力を有する別のピストン戻しばねに取り替えるための便利で信頼できる手法を提供する。
【０００５】
本発明は、上部ハンドル部分と、上部ハンドル部分から取り外し可能な下部部分とを備える手動のピペットを対象としている。図面に示される典型的な実施形態では、下部部分は、使い捨てのピペットチップのための取り付け具を含む。しかしながら、本発明の態様は、使い捨てのチップを使用することができない手動のピペットで実施可能である。取り外し可能なプランジャばねアセンブリは、ピペット内部、好ましくは上部ハンドル部分内部に装着され、下部部分が上部ハンドル部分から分離されるときに、取り外しまたは交換可能である。取り外し可能なプランジャばねアセンブリは、上部ピストン軸と、ピストン戻しばねと、上部ピストン軸の下方端部に固定された磁石または機械的継手のような継手とを含む。上部のプランジャばねアセンブリはばね保持台をさらに含み、上部ピストン軸の下方端部はこれを介して摺動することができる。上部ピストン軸はピストン戻しばねの中心を通る。１つの実施形態では、上部ピストン軸は滑らかな支え面、例えば、ポリテトラフルオロエチレンの乾燥した層を含む。上部のばね保持器はピストン軸の頂部または頂部の近くに装着され、上部のばね保持器とばね保持台との間で圧縮状態でばねを保持する。分注用ピストンは下部部分に位置し、下部部分が上部ハンドル部分に取り付けられ、手動のピペットが操作のために組み立てられるときに、上部ピストン軸上で継手に動作可能に連結される。典型的な実施形態では、上部ハンドル部分は、その下方端部に固定されたねじ山が刻設されたスリーブを備え、ばね保持台は嵌合ねじを含む。プランジャばねアセンブリは、プランジャばねアセンブリのばね保持台を上部ハンドル部分のねじ山が刻設されたスリーブに固定することにより、上部ハンドル部分へ装着される。下部部分はその上方端部にねじ山が刻設されたカラーを含み、カラーは、上部ハンドル部分上のねじ山が刻設されたスリーブにねじ山が刻設されたカラーを同様に固定することにより、操作のために手動のピペットを組み立てるべく上部ハンドル部分に取り付けられる。
【０００６】
上記の構造は、ピストン戻しばねの便利で信頼できる交換を促し、ユーザーがプランジャを押し下げるのに必要な力を選択することを可能にする。例えば、本発明に合わせて、手動のピペットは、軽いばね力を有するピストン戻しばねと、中程度のばね力を有するピストン戻しばねと、重いばね力を有する別のピストン戻しばねとを備えるキットとして提供可能である。望ましくは、ピストン戻しばねを含むプランジャばねアセンブリの構成要素はユニットとして一体的に接続され、ユニットとして上部ハンドル部分へ装着され、上部ハンドル部分から取り外される。こうした構造のおかげで、プランジャばねアセンブリ全体を、異なるばね戻り力を備えたピストン戻しばねを有する別のプランジャばねアセンブリと取り替えることができる。様々なプランジャばねアセンブリは、必要に応じて、例えば、標識または色分けされたばね保持台を用いて、視覚的に識別可能である。随意に、プランジャばねアセンブリのばね保持台を手動のピペットへ着脱しやすくするために、設置用具が設けられる。
【０００７】
本発明の他の特徴と利点は、以下の図面とその記載を精査した当業者には明白なものとなるであろう。
【図面の簡単な説明】
【０００８】
【図１】本発明の典型的な実施形態に合わせて構築された単一チャネルの手動のピペットの斜視図である。
【図２ａ】図１に示されるピペットの上部ハンドル部分に、本発明に合わせて構築されたプランジャばねアセンブリを設置するための設置用具の使用を例証する。
【図２ｂ】図１に示されるピペットの上部ハンドル部分に、本発明に合わせて構築されたプランジャばねアセンブリを設置するための設置用具の使用を例証する。
【図３】図１に例証されたピペットの縦断面図である。
【図４】本発明の典型的な実施形態に合わせて構築されたプランジャばねアセンブリの詳細な図面である。
【図５】本発明の別の典型的な実施形態に合わせて構築されたプランジャばねアセンブリの詳細な図面である。
【図６】図５の矢印６−６によって識別された領域の拡大図である。
【図７】ピペットのプランジャ軸（２２）に嵌め込まれた図５と６のプランジャばねアセンブリを示す詳細な図である。
【図８】図７の矢印８−８によって識別された領域の拡大図である。
【図９】各々が異なるばね戻り力を提供する複数のプランジャばねアセンブリが設けられた手動のピペットキットの様々な構成要素を例証する図である。
【図１０】プランジャばねアセンブリを取り外すための、およびさらに同様に他のタスクを遂行するための代替的な用具を例証する。
【発明を実施するための形態】
【０００９】
図１〜５は、本発明の典型的な実施形態に合わせて構築された手動のピペット（１０）を示す。とりわけ図１を参照すると、手動のピペット（１０）は、上部ハンドル部分（１２）と、上部ハンドル部分（１２）から取り外し可能な下部部分（１４）とを含む。下部部分（１４）は、その遠位端部にチップ取り付け具（１６）を含んでいる。使い捨てのピペットチップ（図示されず）は、液体を移動させるためにピペットチップ内へ液体を吸引するべく、チップ取り付け具（１６）に装着される。上述のように、本発明の態様は、シリンジベースの手動のピペットなどの、使い捨てのチップを使用することができない手動のピペットで実施可能である。下部部分（１４）はその頂端部にねじ山が刻設されたカラー（１８）を含み、カラーは、上部ハンドル部分（１２）に下部部分（１４）を取り付けるために、上部ハンドル部分（１２）の下方端部（３０）に位置するねじ山が刻設されたスリーブ（６０）（図３）に固定される。使用時に、上部ハンドル部分（１２）はユーザーの手によって把持される。ユーザーは、ばね力に対してプランジャ軸（２２）を下方へ移動させるために親指でプランジャボタン（２０）を押し下げて、プランジャ軸（２２）を引っ込め、かつ取り付け具（１６）上に装着されたピペットチップへと液体を吸引するために、プランジャボタン（２０）を放す。プランジャボタン（２０）を押し下げることにより、液体はピペットチップから分注される。チップのイジェクタボタン（２８）も、容量調節機構（３４）と同様にハンドル上に位置する。
【００１０】
図２ａは、ピペット（１０）の上部ハンドル部分（１２）から取り外されたプランジャばねアセンブリ（３６）を示す。プランジャばねアセンブリ（３６）は、上部ピストン軸（３８）、ピストン戻しばね（４０）、ばね保持台（４２）、上部のばね保持器（５０）（図４）、および磁石（４４）を含む。磁石（４４）は例えば接着剤を用いて、上部ピストン軸（３８）の下方端部に固定される。上部ピストン軸（３８）はばね保持台（４２）を通って摺動可能であるが、磁石（４４）の直径はプランジャばねアセンブリ（３６）上でばね保持台（４２）を保持するのに十分である。図２ａは１対の直立した突出部（４８）を有する設置用具（４６）をさらに示す。突出部（４８）はばね保持台（４２）上の設置用インターフェース（５４）（歯など）（図４）に嵌め込まれ、上部ハンドル部分（１２）の下方端部（３０）に位置するねじ山が刻設されたスリーブ（６０）（図３）へプランジャばねアセンブリ（３６）を取り付けるおよび／または取り外すための手段を提供する。図２ｂは使用時の設置用具（４６）を示す。設置用具（４６）がプランジャばねアセンブリ（３６）上のねじ山が刻設された土台（４２）にアクセスするために、下部部分（１４）（図１）を取り外さなければならないことに注意する。図面で例証される実施形態がピペット（１０）の上部ハンドル部分（１２）に取り外し可能に装着されたプランジャばねアセンブリ（３６）を示しているが、プランジャばねアセンブリ（３６）はピペット（１０）の下部部分（１４）に取り外し可能に装着され得ることが企図される。
【００１１】
図４は、典型的なプランジャばねアセンブリ（３６）の構成要素を例証する。上部ピストン軸（３８）は好ましくはピストン戻しばね（４０）の中心を通る。上部ピストン軸（３８）は、例えば、ステンレス鋼またはアルミニウムを含む任意の適切な材料で作ることが可能である。ピストン戻しばね（４０）も同様に、例えば、ステンレス鋼を含む任意の適切な材料で作ることが可能である。上部ピストン軸（３８）の頂端部は、ばね保持器（５０）が固定される周方向の凹部（５２）を含む。ばね保持器（５０）は、凹部（５２）内部のピストン軸（３８）のまわりで一体的に接続される二重のハーフシェルを含むことが望ましい。言及されるように、上部ピストン軸（３８）パスの下方端部は、ばね保持台（４２）の中央穴（４３）を通る。磁石（４４）は接着剤で上部ピストン軸（３８）の下方端部に固定され、プランジャばねアセンブリ（３６）上でばね保持台（４２）を保持する。ばね（４０）は、ばね保持器（５０）とばね保持台（４２）との間で圧縮されて付勢される。
【００１２】
図５と６は、プランジャばねアセンブリ（３６）の改良実施形態を例証する。図５と６の上部ピストン軸（３８）は、熱収縮ポリテトラフルオロエチレンの層などの滑らかな材料で作られた表面（３９）を備える。ピペットが操作されるとき、潤滑表面（３９）のおかげで、ピストン軸（３８）とばね（４０）との間の相互作用は円滑になる。代替的に、潤滑部を使用することができるが、乾燥した潤滑表面では、汚れた潤滑部を備えた構成要素を取り扱う必要がなくなる。図６と７を参照すると、図５と６のプランジャばねアセンブリ（３６）は、円錐形のクラウン（４１）を組み込むために改良され、これにより、とりわけピペットを再度組み立てるときにプランジャ軸（２２）との位置合わせを行いやすくなる。
【００１３】
図３は、完全に組み立てられた手動のピペット（１０）縦断面図を例証する。下部部分（１４）の遠位端部にあるピペットチップ取り付け具（１６）は、ピストン（５６）と流体連通している。ピストン（５６）の頂部（５８）は、上部ハンドル部分（１２）内部に装着されたプランジャばねアセンブリ（３６）上の磁石（４４）に磁気的に取り付けられる。Ｏリング（７０）とＰＴＦＥ（ポリテトラフルオロエチレン）シール（７１）は、ピストン（５６）のまわりに固定される。Ｏリング（７０）はシリンダ本体に静的な密封をもたらす。ＰＴＦＥシール（７１）は、ピストン（５６）に対する動的な密封をもたらす。Ｏリング（７０）とＰＴＦＥシール（７１）は、ピストン（５６）が伸縮するにつれ、ばね（７２）とスリーブ（７３）によって適所に保持される。引っ込められることにより、チップ取り付け具（１６）に装着された使い捨てのピペットチップにおいて吸引が引き起こされる。
【００１４】
プランジャボタン（２０）から下方へ伸びるプランジャ軸（２２）は、上部ピストン軸（３８）と接する。プランジャ軸（２２）は、容量調節機構（３４）に物理的に作用する停止部（６２）を備え、これは、プランジャ（２２）、上部ピストン軸（３８）、およびピストン（５６）の全吸引可動域を設定するように協働する。プランジャ軸（２２）上の停止部（６２）は、容量の調整のためにクリアランスを形成する上部ハンドル部分（１２）内部の領域に存在する。ユーザーがプランジャボタン（２０）を下方へ押し下げるにつれ、プランジャ軸（２２）は上部ピストン軸（３８）を下方向に押圧し、これがピストン（５６）を下方へ押圧する。プランジャボタン（２０）が下方へ押圧されるにつれ、ばね（４０）は上部ピストン軸（３８）の頂部上のばね保持器（５０）とばね保持台（４２）との間で圧縮する。図３は、上部ピストン軸（３８）がばね保持台（４２）を通って部分的に下方向に移動し、その結果、ばね（４０）が部分的に圧縮されていることを示している。いったんプランジャボタン（２０）が完全に押し下げられ、上部ピストン軸（３８）とピストン（５６）が十分な吸引位置まで押されると、ユーザーは液体中に使い捨てのピペットチップ（図示せず）の遠位端部を置き、プランジャボタン（２０）を放す。ユーザーがプランジャボタン（２０）を放すと、ピストン戻しばね（４０）は上部ピストン軸（３８）を押し上げ、磁石（４４）によってピストン（５６）を上向きに引っ張る。ピストン（５６）の上昇運動により、チップ取り付け具（１６）上に装着された使い捨てのピペットチップ内部での吸引が、液体をチップ内に吸引する。
【００１５】
ばね力は通常、ピストン、上部ピストン軸（３８）およびプランジャ軸（２２）に沿った他の摩擦力と同様に、ピストン（５６）に対するＯリング（７０）／ＰＴＦＥシール（７１）に関連する摩擦力を克服するために上述のメーカーによって選択される。しかしながら、本発明に従って、プランジャばねアセンブリ（３６）は、ばね（４０）、または代替的にプランジャばねアセンブリ（３６）全体を交換しやすくするために、都合よく取り外し可能である。交換は、ピペットを修理するか、またはばね（４０）の強さを変えるために行われる。上部ハンドル部分（１２）は、上述のように、上部ハンドル部分（１２）の下方端部（３０）に固定されたねじ山が刻設されたスリーブ（６０）を備える。ばね保持台（４２）は、例えば、図２ａと２ｂで示される設置用具（４６）を用いて、ねじ山が刻設されたスリーブ（６０）に固定される嵌合ねじを備える。下部部分（１４）上のねじ山が刻設されたカラー（１８）は、ねじ山が刻設されたカラー（１８）をねじ山が刻設されたスリーブ（６０）に同様に固定することによって、上部ハンドル部分（１２）に取り付けられる。いったん下部部分（１４）が取り外されると、ばね保持台（４２）にアクセスして取り外すことができる。
【００１６】
チップ取り付け具（１６）上に装着された使い捨てのピペットチップから液体を分注するために、ユーザーは、引っ込められたピストン（５６）により引き起こされる吸引を解除するためにプランジャ（２０）を下方へ押し下げる。分注を完成させるために、ユーザーは、ピペットチップ中の残液を噴出させるために、当該技術分野で知られているように、その正常な完全吸引位置を超えてプランジャ（２０）を押し下げる。プランジャボタン（２０）が上部ハンドル部分（１２）の頂部の凹部（２６）へ下方に押されると、プランジャボタン（２０）は噴出スリーブ（２４）と係合する。噴出スリーブ（２４）は、ばね（６６）によって通常上方に付勢されている停止部（６８）を含む。しかしながら、ユーザーが噴出スリーブ（２４）と噴出ばね（６６）の抵抗に対してプランジャボタン（２０）を下方へ押し続けると、上部ピストン軸（３８）とピストン（５６）はさらに下方へ押圧され、噴出を促す。
【００１７】
ここで図９を参照すると、２つまたは３つ（またはそれ以上）のプランジャばねアセンブリ（３６Ａ）、（３６Ｂ）、および（３６Ｃ）を有するキットとしてエンドユーザに手動のピペット（１０）が提供され得ることが企図される。図５の各プランジャばねアセンブリ（３６Ａ）、（３６Ｂ）、（３６Ｃ）は、異なるばね戻り力を提供するばね（４０Ａ）、（４０Ｂ）、（４０Ｃ）を有することが好ましい。例えば、ばね（４０Ａ）が軽い戻り力を提供することもあれば、ばね（４０Ｃ）が戻り力を提供することもあれば、ばね（４０Ｂ）が中程度の戻り力を提供することもある。ばね（４０Ａ）、（４０Ｂ）、（４０Ｃ）のばね力レベルは、メーカーによりあらかじめ選択可能であるか、または顧客により指定可能である。随意に、ばね保持台（４２Ａ）、（４２Ｂ）、（４２Ｃ）は、ユーザーが、どのばね（４０Ａ）、（４０Ｂ）、（４０Ｃ）が設置または使用されているかを容易に判定することができるように、色分けされることもあれば、標識されることもある。代替的に、キットには１つのプランジャばねアセンブリ（３６）と複数のばねを設けることができる。
【００１８】
図１０は、図５で示されるプランジャばねアセンブリ（４０Ａ）、（４０Ｂ）、および（４０Ｃ）を取り外すための代替的な用具（９０）を例証する。図２と５で示される用具（４６）のように、用具（９０）は、ばね保持台（４２）に設置面（５４）を係合させるために、突出部（９２）を備える。しかしながら、用具（９０）はスリーインワン型用具である。これは、ｏ−リングシールを設置および取り外すために、較正取り付け具（９４）と取り付け具（９６）も提供する。
【００１９】
図面で示される本発明の実施形態は単一チャネルの手動のピペットであるが、当業者は、多チャネルの手動のピペットにも本発明を適用できることを認識するであろう。
【００２０】
前述の記載では、簡潔さ、明快さ、および理解のために特定の用語を使用してきた。こうした用語は記述的な目的で使用され、広く解釈されることを意図しているので、従来技術を越えて前述の記載から不必要な限定を推測してはならない。本明細書に記載される様々な構造、システム、および方法工程は、単独で、または他の構造、システム、および方法工程と組み合わせて使用されてもよい。様々な等価物、代替物、および改良は添付の請求項の範囲内で可能であることが予測されよう。添付の請求項での各限定は、「〜の手段」または「〜の工程」との用語がそれぞれの限定で明示的に詳述されているときのみ、米国特許法第１１２条の第６パラグラフ３５での解釈を発動させることを意図している。
【図１】
2018502706.tif 000003
【図２ａ】
2018502706.tif 000004
【図２ｂ】
2018502706.tif 000005
【図３】
2018502706.tif 000006
【図４】
2018502706.tif 000007
【図５】
2018502706.tif 000008
【図６】
2018502706.tif 000009
【図７】
2018502706.tif 000010
【図８】
2018502706.tif 000011
【図９】
2018502706.tif 000012
【図１０】
2018502706.tif 000013
【国際調査報告】
2018502706.tif 000014
2018502706.tif 000015